(57)【特許請求の範囲】
【請求項１】
筐体前面に開口した取付穴の背後に配置した押し釦スイッチを、前記取付穴に配置した枠部材に保持された保護板の押し込みでオン操作する発信機の操作構造に於いて、
前記発信機は、
前記押し釦スイッチの前方側に突出したスイッチノブと、
弾性材で形成され、前記スイッチノブの前方を覆う防水キャップと、
前記押し釦スイッチを、前記枠部材と前記防水キャップとの間に所定の距離を設けて前記枠部材の後方に離間して固定する取付部材と、
を備え、
前記取付部材は、
前記保護板の押し込みにより、当該保護板が前記枠部材から外れて前記防水キャップを介して前記押し釦スイッチをオン操作し、前記保護板の押し込み解除後に、前記枠部材から外れた保護板を、前記取付部材により前記枠部材と前記防水キャップの間に収納することで前記筐体内に落下させない構造とし、
前記枠部材は、
操作穴を開口したリング状の枠本体と、
前記操作穴の裏側開口から内側に張り出して配置されたストッパ部と、
前記ストッパ部に相対した前方の操作穴内周部分に突出して配置された抜止め部と、
を備えた弾性部材であり、
前記ストッパ部の変形強度より前記抜け止め部の変形強度を小さくし、前記保護板を、前方から前記枠本体の操作穴に前記ストッパ部の変形強度を越えない力で前記抜け止め部を変形して押し込むことで、前記枠本体の操作穴に設けたストッパ部と抜け止め部の間に保持し、当該保護板が所定の力を超える押し込み力を受けた際に前記ストッパ部の変形により前記枠本体から外れて前記押し釦スイッチをオン操作する構造としたことを特徴とする発信機の操作構造。
【請求項２】
請求項１記載の発信機の操作構造に於いて、
前記枠部材と前記防水キャップの間に収納された保護板を、前記枠部材を前記取付穴に取り付けた状態で、前記枠部材に設けた隙間から外部に引き出し可能な構造としたことを特徴とする発信機の操作構造。
【請求項３】
請求項２記載の発信機の操作構造に於いて、前記枠部材は、前記ストッパ部を少なくとも２箇所に分割配置して、当該ストッパ部の間に前記枠本体から外れた保護板を外部に取り出す隙間を形成したことを特徴とする発信機の操作構造。
【請求項４】
請求項１記載の発信機の操作構造に於いて、
前記枠部材を前記取付穴に着脱可能に配置し、
前記枠部材と前記防水キャップの間に収納された保護板を、前記枠部材を前記取付穴から取り外した状態で、前記取付穴から外部に取り出し可能な構造としたことを特徴とする発信機の操作構造。
【請求項５】
請求項１記載の発信機の操作構造に於いて、
前記押し釦スイッチは、前記スイッチノブ及び防水キャップを透明又は半透明材で形成すると共に、当該スイッチノブの内部に発光部を設け、
前記オン操作で送信された発信信号に対する応答信号を受信して前記発光部を点灯することを特徴とする発信機の操作構造。
【発明の詳細な説明】
【技術分野】
【０００１】
本発明は、消火栓装置などに設けられる発信機の操作構造に関する。
【背景技術】
【０００２】
従来、発信機が取り付けられる例えば高速道路のトンネルに設置される消火栓装置は、開放自在な消火栓扉を備えた筐体内に、ノズル付きホースとバルブ類を収納し、また、開閉自在な消火器扉を備えた消火器収納部に例えば２本の消火器を収納し、更に、通報装置扉が設けられ、ここに赤色表示灯、発信機、及び応答ランプを設けている。
【０００３】
通報装置扉の赤色表示灯は常時点灯し、消火栓装置の設置場所が遠方から分かるようにしている。火災時には、発信機を押して押し釦スイッチをオン操作すると、発信信号が監視室の火災受信機に送信されて火災警報が出され、これに伴い応答信号が火災受信機から送られて、応答ランプを点灯するようにしている。
【０００４】
図１１はトンネル消火栓装置に使用される発信機であり、カバー１００の背後に防水ゴムで覆われた押し釦スイッチ１０２を配置し、カバー１００の前面には枠部材１０４により透明な有機ガラス板などを使用した保護板１０６が配置されている。
【０００５】
図１２（Ａ）は従来の発信機の内部構造を示した断面図である。筐体側となる通報装置扉１０８に開口した取付穴１１０の背後には押し釦スイッチ１０２が配置され、スイッチノブ１１２を前方に配置している。
【０００６】
取付穴１１０には枠部材１０４が配置され、枠部材１０４に保護板１０６を保持している。枠部材１０４は、外周側の複数箇所に裏面に向けて嵌合爪１１４を形成し、カバー１００の嵌合穴１１６に嵌合している。枠部材１０４の内周側の複数個所には裏面に向けて係止爪１１８を形成し、保護板１０６を保持している。
【０００７】
保護板１０６を保持する枠部材１０４は通常有機ガラスで作られており、枠部材１０４の係止爪１１８により保護板１０６を保持している。
【０００８】
ここで発信機を操作するための規格としては、例えば保護板１０６の正面から直径２０ｍｍの棒で２０ニュートンの力を加えても枠部材１０４から保護板１０６が外れず、８０ニュートン以上の力を加えると図１２（Ｂ）に示すように枠部材１０４から保護板１０６が外れ、押し釦スイッチ１０２をオンさせるようにしている。
【先行技術文献】
【特許文献】
【０００９】
【特許文献１】特開平１０−１５４２８２号公報
【発明の概要】
【発明が解決しようとする課題】
【００１０】
しかしながら、このような従来の発信機の操作構造にあっては、図１２（Ｂ）のように保護板１０６を押し込んで押し釦スイッチ１０２をオンした場合、復旧の際には図１３に示すように、枠部材１０４をカバーから取り外し、内部に脱落している保護板１０６を取り出し、枠部材１０４の係止爪１１８に装着してから通報装置扉１０８に取り付ける必要があり、押し釦スイッチ１０２を操作した後の復旧作業が煩雑になる。また枠部材１０４をカバーとの着脱動作を繰り返すと嵌合爪１１４が破損する恐れがあった。
【００１１】
また枠部材１０４のプラスチックで作られた係止爪１１８に保護板１０６を嵌め込む作業を何度も行うと、係止爪１１８が破損する恐れもあった。
【００１２】
本発明は、発信機の操作部の組付け及び復旧を容易にする発信機の操作構造を提供することを目的とする。
【課題を解決するための手段】
【００１３】
本発明は、筐体前面に開口した取付穴の背後に配置した押し釦スイッチを、取付穴に配置した枠部材に保持された保護板の押し込みでオン操作する発信機の操作構造に於いて、
発信機は、
押し釦スイッチの前方側に突出したスイッチノブと、
弾性材で形成され、スイッチノブの前方を覆う防水キャップと、
押し釦スイッチを、枠部材と防水キャップとの間に所定の距離を設けて枠部材の後方に離間して固定する取付部材と、
を備え、
取付部材は、
保護板の押し込みにより、当該保護板が枠部材から外れて防水キャップを介して押し釦スイッチをオン操作し、保護板の押し込み解除後に、枠部材から外れた保護板を、取付部材により枠部材と防水キャップの間に収納することで筐体内に落下させない構造とし、
枠部材は、
操作穴を開口したリング状の枠本体と、
操作穴の裏側開口から内側に張り出して配置されたストッパ部と、
ストッパ部に相対した前方の操作穴内周部分に突出して配置された抜止め部と、
を備えた弾性部材であり、
ストッパ部の変形強度より抜け止め部の変形強度を小さくし、保護板を、前方から枠本体の操作穴にストッパ部の変形強度を越えない力で抜け止め部を変形して押し込むことで、枠本体の操作穴に設けたストッパ部と抜け止め部の間に保持し、当該保護板が所定の力を超える押し込み力を受けた際にストッパ部の変形により枠本体から外れて押し釦スイッチをオン操作する構造としたことを特徴とする。
【００１４】
また本発明は、枠部材から外れて枠部材と防水キャップの間に収納された保護板を、枠部材を取付穴に取り付けた状態で、枠部材に設けた隙間から外部に引き出し可能な構造とする。
【００１５】
ここで枠部材は、ストッパ部を少なくとも２箇所に分割配置して、当該ストッパ部の間に枠本体から外れた保護板を外部に取り出す隙間を形成する。
【００１６】
また本発明は、枠部材を取付穴に着脱可能に配置し、
枠部材から外れて枠部材と防水キャップの間に収納された保護板を、枠部材を取付穴から取り外した状態で、取付穴から外部に取り出し可能な構造とする。
【００１７】
押し釦スイッチは、スイッチノブ及び防水キャップを透明又は半透明材で形成すると共に、当該スイッチノブの内部に発光部を設け、
オン操作で送信された発信信号に対する応答信号を受信して発光部を点灯する。
【発明の効果】
【００１８】
本発明によれば、開口部に弾性を有する枠部材を取り付ける構成としたことで、枠部材の着脱操作による枠部材を損傷することを防ぐことができる。また弾性部材の枠部材の内部に保護板を保持するようにしたことで、容易に保護板を枠部材に装着することができ、また保護板を押して内部のスイッチをオン操作する際に、枠部材が弾性変形することで枠部材を壊すことなく保護板を押し込むことができる。また発信機を操作するための規格を弾性部材の材質や寸法により容易に満たすことができる。
また枠部材の裏面開口にストッパ部材を配置したことで、押し釦操作で内部に押し込まれた保護板を、分割されたストッパ部の間に形成された隙間から外部に取り出すことができ、枠部材を取り外すことなく、保護板を簡単に外部へ取り出すことができる。
【００１９】
また、取り外した保護板は枠部材の前面から装着ができるように、枠部材の手前の抜止め部の変形強度を、裏面開口側のストッパ部の変形強度より小さくすることにより、取り外した保護板を枠部材の前面から装着することができ、枠部材を外して保護板を装着する必要がなく、復旧作業を容易にして復旧時間を短縮することができる。
【００２０】
また本発明の別の形態にあっては、操作穴に対し偏心位置に設けた保護板を横に回転させて操作穴を開き、操作穴に指をいれて押し釦スイッチを直接操作しており、保護板を介して押し釦スイッチを操作する場合に比べ、より適切なスイッチの操作感が得られる。またスイッチ操作後に指を離せば、保護版が自重により閉鎖位置に戻って復旧状態となり、復旧操作が極めて簡単となる。
【図面の簡単な説明】
【００２１】
【図１】本発明によるトンネル消火栓装置の実施形態を示した説明図
【図２】本発明による発信機操作構造の実施形態を示した説明図
【図３】図２の発信機操作構造の組立分解図
【図４】図３の枠部材を取り出して示した説明図
【図５】図４（Ａ）のＸ−Ｘ断面を示した断面図
【図６】図２の発信機操作構造の断面図
【図７】保護板を押し込んでスイッチ操作した状態を示した断面図
【図８】復旧するために保護板を取り出した状態を示した説明図
【図９】本発明による発信機操作構造の他の実施形態を示した説明図
【図１０】図９の実施形態における保護板の取付け構造を示した説明図
【図１１】従来の発信機を取り出して示した説明図
【図１２】従来の発信機操作構造を断面で示した説明図
【図１３】従来の発信機操作構造につき枠部材を外して保護板を装着する復旧操作を示した断面図
【発明を実施するための形態】
【００２２】
図１は本発明の発信機操作構造が適用されるトンネルに設置される消火栓装置を示した正面図である。図１において、消火栓装置１０は、消火栓側の筐体１２−１と消火器側の筐体１２−２に分割した構造であり、前面に化粧板１４−１，１４−２を装着しており、筐体１２−１、１２−２に対し必要な機器及び部材を組付けた後に連結固定部１５で固定した状態とし、この状態でトンネル現場に搬入して架台１１上に設置している。
【００２３】
化粧板１４−１，１４−２には扉開口部１６，１７が設けられている。筐体１２−１の扉開口部１６は上下に２分割され、下側扉開口部に消火栓扉１８を配置し、上側扉開口部に保守扉２２を配置しており、その内部がホース収納空間及びバルブ類収納空間となっている。
【００２４】
消火栓扉１８は、扉開口部１６に対し下側の軸となるヒンジ２１を中心に下向きに開閉自在に設けられており、マグネットと受け板を用いた下扉ロック機構５６により閉止位置に閉じている。消火栓扉１８は、ハンドル２０を手前に引いて下扉ロック機構５６の磁気吸着によるロックを外すことで前方に開閉することができる。
【００２５】
消火栓扉１８の上には上向きに開閉する保守扉２２が設けられており、マグネットと受け板を用いた上扉ロック機構５４により閉止位置に閉じられており、点検時に消火栓扉１８を開いて内側のロックを外すことで開くことができる。また、筐体１２−１の上部両側には装置を吊り下げるための吊り輪２５が取り付けられている。
【００２６】
筐体１２−２の扉開口部１７の右側には通報装置扉２４が設けられ、ここに赤色表示灯２６、発信機２８、及び応答ランプ３０を設けている。なお、発信機２８は後の説明で明らかにする本発明による発信機操作構造を備える。また通報装置扉２４の内側には電話ジャックを設けている。
【００２７】
赤色表示灯２６は常時点灯し、消火栓装置１０の設置場所が遠方から分かるようにしている。火災時には、発信機２８を押して押し釦スイッチをオンすると、発信信号が監視室の火災受信機に送信されて火災警報が出され、これに伴い応答信号が火災受信機から送られて、応答ランプ３０を点灯するようにしている。
【００２８】
扉開口部１７の左側には消火器扉３２が設けられ、消火器扉３２に対応した筐体１２−２の内部を消火器収納空間とし、例えば２本の消火器を収納している。消火器扉３２にはハンドル３４が設けられ、ハンドル３４を手前に引くとラッチが外れ、消火器扉３２は左側をヒンジとして前方に開くことができる。また、消火器扉３２の下側には覗き窓３５が設けられ、外部から消火器の収納状態の有無を確認できるようにしている。
【００２９】
筐体１２−１の内部には、ポンプ設備からの配管が接続される消火栓接続口、消火時に弁開放して放水を行う消火栓弁などのバルブ類等を介して、ホースが巻かれて収納されるホース収納空間が形成されている。ホースの先端にはノズルが装着されている。
【００３０】
保守扉２２は、消火栓装置の保守以外には通常閉じられており、消火作業時も閉められたままで消火栓扉１８のみ開放され、筐体１２−１内に収納されたノズルを取り出し、消火栓弁を開放し、ホースを引き出すことで消火作業を行う。
【００３１】
図２は図１の消火栓装置１０における通報装置扉２４に設けた発信機２８の部分を取り出して本発明による発信機操作構造の実施形態を示した説明図である。図２において、通報装置扉２４には発信機２８が設けられており、発信機２８は通報装置扉２４に設けた取付穴に、ゴム部材で作られた枠部材７２の中央の操作穴に保護板７４を配置した発信機操作構造を設けている。保護板７４の背後には、後の説明で明らかにするように押し釦スイッチが配置されている。
【００３２】
図３は図２の発信機操作構造の組立分解図である。図３において、通報装置扉２４には取付穴７６が設けられ、この取付穴７６に対しゴム部材で作られた枠部材７２を嵌め込むようにしている。枠部材７２は中央に操作穴７８を形成したリング状の部材であり、操作穴７８の背面側の内側に張り出して４箇所に分割したストッパ部８０を形成し、ストッパ部８０に対応した操作穴７８の内周面の４箇所に抜止め部８２を形成している。
【００３３】
枠部材７２に対しては有機ガラス板などの透明材料で作られた保護板７４が装着される。保護板７４は、通報装置扉２４の取付穴７６に嵌め入れた枠部材７２の操作穴７８に対し前方から押し込むことで、ストッパ部８０と抜止め部８２の間の位置に収納することができる。
【００３４】
図４は図３の枠部材を取り出して示した説明図であり、図４（Ａ）に正面、図４（Ｂ）に側面、図４（Ｃ）に背面を示している。
【００３５】
図４において、枠部材７２は中央に操作穴７８を形成したリング状の部材であり、ゴム材料により作られている。枠部材７２におけるリング状の枠本体７１に形成した操作穴７８の背後には、図４（Ｂ）及び図４（Ｃ）に示すように、４箇所に分割してストッパ部８０が内周側に張り出した状態で配置している。このストッパ部８０の内周の径ｄ１は、図３に示した保護板７４の径Ｄ１より小さい径として抜け落ちないようにしている。
【００３６】
ストッパ部８０の手前となる操作穴７８の内周面の４箇所には抜止め部８２が形成されている。背面側のストッパ部８０は肉厚で内側に大きく張り出しているが、操作穴７８の抜止め部８２は、ストッパ部８０に対し突出量が小さく、周方向も小さく形成されている。これによって、前方から図３のように保護板７４を押し込んだときの変形強度が、裏面側のストッパ部８０が大きく、手前側の操作穴７８に形成した抜止め部８２の変形強度が小さくなるようにしている。
【００３７】
そのため、図３に示すように枠部材７２に前方から保護板７４を押し込むと、保護板７４を押し込む力により抜止め部８２が変形して内側に保護板７４を押し込むが、その後ろに配置しているストッパ部８０は変形強度が抜止め部８２に対し十分大きいため、保護板７４の押込みによる力では変形せず、押し込まれた保護板７４をストッパ部８０で受け止めることができる。その結果、枠部材７２に対し前方から保護板７４をワンタッチで押し込んで、ストッパ部８０と抜止め部８２の間に収納する可能となる。
【００３８】
図５は図４（Ａ）のＸ−Ｘ断面を示した断面図である。図５において、枠部材７２は枠本体７１の中央に操作穴７８を形成しており、操作穴７８の裏面側にストッパ部８０を４箇所に分割して一体に形成している。枠本体７１とストッパ部８０の外周の間には取付溝８４が形成され、取付溝８４によって、図３に示した通報装置扉２４の取付穴７６に枠部材７２を嵌込み固定することができる。
【００３９】
裏面側に分割配置したストッパ部８０に対応した操作穴７８の内周面の４箇所には抜止め部８２を突出形成している。抜止め部８２の円周方向の幅及び中心側への突出量は、裏面側に配置したストッパ部８０に比べて十分小さく、保護板を押し込んだときの変形強度をより小さくする構造としており、保護板を前方から押し込むことで、抜止め部８２が変形してストッパ部８０で止まる位置に保護板をワンタッチで押し込むことができる。
【００４０】
図６は本実施形態の発信機操作構造を備えた発信機２８を示した断面図である。図６において、通報装置扉２４の取付穴にはゴム材料で作られた枠部材７２が取付溝８４の嵌込みで装着されている。枠部材７２には前方から保護板７４が押し込まれ、裏面側のストッパ部８０と操作穴７８の周面の抜止め部８２の間に保持されている。
【００４１】
通報装置扉２４に設けた取付穴７６の背後には取付部材８５が溶接などにより固定され、取付部材８５に対し押し釦スイッチ８６をねじ込み固定している。押し釦スイッチ８６は前方側にスイッチノブ８８を突出しており、スイッチノブ８８の前方を覆って防水キャップ９０を装着している。また押し釦スイッチ８６の後部には端子９２が設けられ、ここに外部から信号線９３を接続している。押し釦スイッチ８６の後方については、防水カバー９１が装着されている。
【００４２】
図７は保護板を押し込んでスイッチを操作した状態を示した断面図である。図７において、矢印で示すように、枠部材７２に装着している保護板７４を強く押し込むと、図４に示したように保護板７４の裏面側に分割して設けている４箇所のストッパ部８０が変形し、枠部材７２から保護板７４が図７に示すように外れ、押し釦スイッチ８６の防水キャップ９０を押し込みながら内部のスイッチノブ８８を押し込んで、押し釦スイッチ８６をオン操作することになる。
【００４３】
ここで本実施形態の発信機操作構造に発信機の規格を適用した場合には、図６に示すように、枠部材７２に保護板７４を装着した状態で外部から径２０ミリメートルの棒で押し込む力が２０ニュートンでは外れないが、８０ニュートン以上となった場合には外れるように、ストッパ部８０の厚さや形状により変形強度を設定している。枠部材７２の材質は耐候性、耐熱性、耐寒性、耐水性、耐薬品性が優れたものが好ましく、例えばエチレンプロピレンゴム（ＥＰＤＭ）やクロロプレンゴム（ＣＲ）やニトリルゴム（ＮＢＲ）等が挙げられる。このような弾性部材を使用することにより、規格を満足するようにストッパ部の寸法を決めることで容易に実現することができる。
【００４４】
図７のように保護板７４を押し込んで押し釦スイッチ８６をオン操作すると、押し釦スイッチ８６のオン操作による信号が監視室などの受信機に送られ、受信機から応答信号が送り返され、図１に示した応答ランプ３０を点灯することになる。
【００４５】
次に図７のように保護板７４を押し込んで押し釦スイッチ８６を操作した後の復旧操作を説明する。保護板７４を押し込むと、枠部材７２の背後の取付部８５の中に保護板７４が脱落した状態で入っている。この状態で操作穴７８から指を入れて保護板７４を取り出すことになるが、このとき図４（Ａ）に示したように、正面から見て枠部材７２の操作穴７８の裏面側に配置した４箇所のストッパ部８０の間には隙間８０ａが形成されている。
【００４６】
そこで内部に入っている保護板７４を横にして、隙間８０ａに合わせて横にしたまま外部に取り出すことができる。このようにストッパ部８０の間に形成した隙間８０ａに対し内部に脱落した保護板７４を横にして引き出すことで、通報装置扉２４の取付穴７６から枠部材７２を取り外す必要がなく、内部に落とし込んだ保護板７４を簡単に取り出すことができる。
【００４７】
保護板７４を取り出すことができたならば、図８に示すように、取り出した保護板７４を通報装置扉２４に取り付けている枠部材７２の操作穴７８に対し前方から押し込むことで、抜止め部８２を変形して、ストッパ部８０に当たる位置にワンタッチで保護板７４を嵌め入れて復旧することができる。なお、本発明の枠部材７２はゴム性の弾性部材であるから、弾性変形させることで容易に通報装置扉２４への取付け、取り外しを行うことができ、その際に損傷することもない。したがって、上述においては保護板７４を押し込んだ後は、保護板７４をストッパ部８０の間から取り出すようにしているが、これに限らず、先に枠部材７２を取り外した後に保護板７４を取付穴７６から取り外すことも可能である。
【００４８】
図９は本発明による発信機操作構造の他の実施形態を示した説明図である。図９において、本実施形態の発信機２８の発信機操作構造は、通報装置扉２４に設けた取付穴７６の前面に、有機ガラス板などの透明材料で作られた保護板９４を、中心に対し上部の偏心した位置に形成した軸穴９６を通して軸部材９５を通報装置扉２４側に固定することで、保護板９４を偏心回転自在に装着している。
【００４９】
取付穴７６の背後には、取付部材８５により照光型押し釦スイッチ９７が取り付けられている。照光型押し釦スイッチ９７は前方にスイッチノブ８８を突出しており、スイッチノブ８８は透明もしくは半透明材料で形成されており、内部にＬＥＤ９８を収納している。
【００５０】
またスイッチノブ８８の外側には防水キャップ９０が装着されるが、防水キャップ９０もスイッチノブ８８と同様、透明もしくは半透明な例えば赤色半透明に着色したシリコンゴムなどで作られている。照光型押し釦スイッチ９７の後部の端子９２には信号線９３が接続され、後部に装着した防水カバー９１が更に装着されている。
【００５１】
図１０は図９の実施形態における保護板の取付構造を正面から示した説明図である。図１０において、通報装置扉２４の取付穴７６に対し保護板９４が同軸に配置されるが、保護板９４は上部の偏心位置を軸部材９５の装着で偏心回転自在に取り付けられている。このため通常時にあっては、保護板９４は自重により図示の取付穴７６を閉鎖する位置に置かれている。
【００５２】
発信機２８を操作する際には、保護板９４を例えば保護板９４ａ，９４ｂに示すように横に回すことで取付穴７６を開き、取付穴７６から指を入れて防水キャップ９０を介して、図９に示す照光型押し釦スイッチ９７のスイッチノブ８８を直接押し込んでオン操作する。
【００５３】
照光型押し釦スイッチ９７がスイッチノブ８８の押込みでオン操作すると、信号線９３により外部に信号を送出すると同時に、内蔵したＬＥＤ９８が点灯又は点滅し、取付穴７６を介して内側から防水キャップ９０が照明されることで、オン操作が行われたことを目視で確認することができる。
【００５４】
この図９及び図１０に示した実施形態にあっては、保護板９４を横にずらして取付穴７６から指を入れることで直接照光型押し釦スイッチ９７をオン操作しており、図２〜図８の実施形態における保護板７４を介して押し釦スイッチ８６を間接的にオン操作する場合に比べ、直接、指でスイッチノブ８８を操作することから、より適切なスイッチの操作感覚が得られ、確実にオン操作することができる。また、復旧操作が不要もしくは簡単になる。
【００５５】
また照光型押し釦スイッチ９７のスイッチノブ８８をオン操作すると、ＬＥＤ９８が点灯して押込み操作を行った防水キャップ９０を内側から照明するため、スイッチ操作の結果がＬＥＤ９８の照明による操作表示として見ることができ、スイッチノブ８８の直接操作による操作感と同時に、スイッチ操作を照明により確認することができ、極めて高い操作性を実現している。
【００５６】
なお図９及び図１０の実施形態にあっては、図２〜図８の実施形態と同様、通常の押し釦スイッチ８６を設けても良い。また図２〜図８の実施形態について、図９〜図１０に示した照光型押し釦スイッチ９７を使用してもよい。
【００５７】
また図９及び図１０の照光型押し釦スイッチ９７を持つ発信機操作構造にあっては、発信機のオン操作によるＬＥＤを点灯して操作表示を行っているが、押し釦スイッチの操作で送信された発信信号に対し受信機側から送り返される確認応答信号を受信してＬＥＤを点灯するようにしても良い。
【００５８】
また、上記実施形態に於いては、枠部材７２及び保護板７４、９４を消火栓装置の扉板に開口した取付穴７６に設けられる構成としているが、これに限らず、ビル等の壁面に取り付けられ、押し釦スイッチを収納する筐体と前面保護カバーを備えた発信機において、前面保護カバーに開口した取付穴に上記枠部材と保護板を備えるようにしても良い。
【００５９】
また本発明はその目的と利点を損なうことのない適宜の変形を含む。また本発明は上記の実施形態に示した数値による限定は受けない。
【符号の説明】
【００６０】
１０：消火栓装置
２４：通報装置扉
２８：発信機
３０：応答ランプ
７１：枠本体
７２：枠部材
７４，９４： 保護板
７６：取付穴 
７８：操作穴
８０：ストッパ部
８０ａ：隙間
８２： 抜止め部
８４：取付溝
８５：取付部材
８６：押し釦スイッチ
８８：スイッチノブ
９０：防水キャップ
９６：軸穴
９７：照光型押し釦スイッチ
【図１】
0005536400.tif 000002
【図２】
0005536400.tif 000003
【図３】
0005536400.tif 000004
【図４】
0005536400.tif 000005
【図５】
0005536400.tif 000006
【図６】
0005536400.tif 000007
【図７】
0005536400.tif 000008
【図８】
0005536400.tif 000009
【図９】
0005536400.tif 000010
【図１０】
0005536400.tif 000011
【図１１】
0005536400.tif 000012
【図１２】
0005536400.tif 000013
【図１３】
0005536400.tif 000014